(57)【要約】【課題】原稿に付加されたＩＣタグと適切に通信することができるようにする。【解決手段】スキャナ装置１において、原稿の主走査方向に沿った範囲の画像をアナログ画像信号として読み取るラインセンサ３ｃが設けられた読取ヘッド２を有し、読取ヘッド２に、前記原稿に付加されたＩＣタグ１０１との通信用の主走査方向に延びるアンテナ４ａを有するアンテナ部４をさらに設け、アンテナ４ａと接続され、アンテナ４ａを介して、ＩＣタグ１０１とのデータの通信を行うリーダ・ライタ部５を更に有するように構成する。【選択図】図２
2007110463.tif 000002
【特許請求の範囲】
【請求項１】
原稿の主走査方向に沿った範囲の画像を画像信号として読み取るイメージセンサが設けられた読取ヘッドを有し、
前記読取ヘッドに、前記原稿に付加されたＩＣタグとの通信用の前記主走査方向に延びるアンテナを有するアンテナ部をさらに設け、
前記アンテナと接続され、前記アンテナを介して、前記ＩＣタグとのデータの通信を行う通信手段を更に有する画像読取装置。
【請求項２】
前記アンテナ部は、前記アンテナが前記原稿側に対して指向性を有するように構成されていることを特徴とする請求項１に記載の画像読取装置。
【請求項３】
前記原稿と前記読取ヘッドとを副走査方向に相対的に移動させる移動手段を更に有する請求項１または請求項２に記載の画像読取装置。
【請求項４】
前記アンテナの主走査方向に占める範囲は、前記イメージセンサにより読み取り可能な最大の主走査方向の範囲より広い範囲に亘って前記ＩＣタグとの通信可能なように形成されている請求項１乃至請求項３のいずれか一項に記載の画像読取装置。
【請求項５】
前記アンテナの主走査方向に占める範囲は、前記イメージセンサにより読み取り可能な最大の主走査方向の範囲以上に広い範囲である請求項４に記載の画像読取装置。
【請求項６】
前記通信手段により、前記ＩＣタグに所定のダミーデータを書き込ませるためのデータを送信させる送信制御手段を更に有することを特徴とする請求項１乃至請求項５のいずれか一項に記載の画像読取装置。
【請求項７】
原稿の主走査方向に沿った範囲の画像を画像信号として読み取るイメージセンサと、前記原稿に付加されたＩＣタグとの通信用の前記主走査方向に延びるアンテナを設けた読取ヘッドを有する画像読取装置により原稿を読み取る画像読取方法であって、
前記イメージセンサにより原稿の主走査方向に沿った範囲の画像をアナログ画像信号として読み取るイメージ読取ステップと、
前記アンテナを介して前記原稿に付加されたＩＣタグに記憶されたデータを通信手段により読み取るデータ読取ステップと、
前記読取ヘッドと、前記原稿とを副走査方向に相対的に移動手段により移動させる移動ステップとを有し、
前記イメージ読取ステップと、前記データ読取ステップと、前記移動ステップとを複数回実行することを特徴とする画像読取方法。
【請求項８】
原稿に付加されたＩＣタグとの通信用の前記主走査方向に延びるアンテナを設けた読取ヘッドを有する画像読取装置により原稿に対して所定の処理を行う原稿処理方法であって、
前記アンテナを介して、前記原稿に付加されたＩＣタグに対して、所定のダミーデータを書き込ませるためのデータを通信部により送信する送信ステップと、
前記読取ヘッドと、前記原稿とを副走査方向に相対的に移動手段により移動させる移動ステップと、を有し、
前記送信ステップと前記移動ステップとを交互にまたは並行して実行することを特徴とする原稿処理方法。
【発明の詳細な説明】
【技術分野】
【０００１】
本発明は、原稿の画像を画像データとして読み取り可能な画像読取装置等に関し、特に、原稿に付加されたＩＣタグに対して通信可能な画像読取装置等に関する。
【背景技術】
【０００２】
従来、ＲＦＩＤ（Radio Frequency Identification）技術、すなわち、無線電波を利用した非接触の自動認識技術が注目されている。このＲＦＩＤ技術では、例えば、アンテナ付ＩＣチップにユーザ、商品等の情報を記憶させておき、アンテナを介してアンテナ付ＩＣチップから情報を読み取ってユーザ、商品等の認証したり等する。この場合においては、アンテナ付ＩＣチップがタグ、ラベル、カード等の形に加工されて用いられている。
ここで、アンテナ付ＩＣチップが組み込まれたものが、ＲＦＩＤタグ、ＩＣラベル、ＩＣタグ、ＩＣカード、無線ＩＣタグ、非接触ＩＣタグ等のように、種々の名称で呼ばれているが、本明細書においては、それらを総称してＩＣタグということとする。
【０００３】
例えば、ＩＣタグを部品毎に付加しておき、部品等のリサイクル時においてＩＣタグの情報を利用してメンテナンス、廃棄、リサイクル等を行うことが知られている（例えば、特許文献１参照）。
近年では、上記したような部品等だけではなく、用紙にＩＣタグを付加し、このＩＣタグにより、用紙に印刷された情報を管理することが行われるようになってきている。
【特許文献１】特開２００５−５５８３１号公報
【発明の開示】
【発明が解決しようとする課題】
【０００４】
ＩＣタグは、用紙の周辺部分の所定の位置に付加されることが各社から提案されている。ＩＣタグの位置が予め統一されて決まっている場合においては、用紙の当該位置に対してリーダ・ライタによる通信を行うように装置を構成すればよく、ＩＣタグとの間の通信は容易である。
しかしながら、各社毎にＩＣタグを付加する位置が異なる場合も考えられ、この場合には、上記した装置では、用紙の種類によってＩＣタグとの通信が適切にできない虞がある。また、利用者によっては、ＩＣタグを用紙の任意の位置に付加して利用したいという要請も考えられ、このような場合においても、上記した装置では、ＩＣタグとの通信が適切にできない虞がある。
【０００５】
また、用紙にＩＣタグを付加した場合にあっては、ＩＣタグに重要な情報が書き込まれていることもあり、用紙を廃棄等する場合には、情報が漏洩することを防止する必要がある。しかしながら、例えば、用紙をシュレッダーにより細断したとしても、ＩＣタグのＩＣチップが細断されずに残ってしまい、このチップから情報が取り出されてしまう虞がある。
本発明は、上記課題に鑑みなされたものであり、その目的は、原稿に付加されたＩＣタグと適切に通信することのできる技術を提供することにある。また、原稿の画像とともに、原稿に付加されたＩＣタグのデータを適切に読み取ることのできる技術を提供する。また、ＩＣタグが付加された原稿を適切に廃棄等できるようにする技術を提供する。
【課題を解決するための手段】
【０００６】
上記目的達成のため、本発明の一実施形態に係る画像読取装置は、原稿の主走査方向に沿った範囲の画像を画像信号として読み取るイメージセンサが設けられた読取ヘッドを有し、読取ヘッドに、原稿に付加されたＩＣタグとの通信用の主走査方向に延びるアンテナを有するアンテナ部をさらに設け、アンテナと接続され、アンテナを介して、ＩＣタグとのデータの通信を行う通信手段を更に有するようにしてもよい。
かかる構成によると、原稿の主走査方向のいずれの位置にＩＣタグが付加されていても、当該ＩＣタグとの通信ができる。
【０００７】
また、アンテナ部は、アンテナが原稿側に対して指向性を有するように構成されてもよい。これにより、原稿に付加されたＩＣタグと適切に通信できる。
また、原稿と読取ヘッドとを副走査方向に相対的に移動させる移動手段を更に有するようにしてもよい。これにより、原稿の全面のどの位置にＩＣタグが付加されていても適切に通信できる。
【０００８】
また、アンテナの主走査方向に占める範囲は、前記イメージセンサにより読み取り可能な最大原稿の主走査方向の範囲より広い範囲に亘って前記ＩＣタグとの通信可能なように設定されていてもよい。このようにすると、原稿に付加されたＩＣタグが、イメージセンサによる主走査方向の読取範囲内のみならず、それ以上の広い範囲に位置している場合であっても、当該ＩＣタグと適切に通信することができる。
また、アンテナの主走査方向に占める範囲は、イメージセンサにより読み取り可能な最大の原稿の主走査方向の範囲以上の広い範囲であってもよい。このようにすると、イメージセンサによる主走査方向の読取範囲内のみならず、それ以上の広い範囲に位置しているＩＣタグとの通信を確実に行うことができる。
また、通信手段により、ＩＣタグに所定のダミーデータを書き込ませるためのデータを送信させる送信制御手段を更に有するようにしてもよい。このようにすると、用紙に付加されたＩＣタグにダミーデータを書き込ませることができ、当該ＩＣタグから重要な情報が漏洩することを防止できる。
【０００９】
また、本発明の一実施形態に係る画像読取方法は、原稿の主走査方向に沿った範囲の画像を画像信号として読み取るイメージセンサと、原稿に付加されたＩＣタグとの通信用の前記主走査方向に延びるアンテナとを設けた読取ヘッドを有する画像読取装置により原稿を読み取る画像読取方法であって、イメージセンサにより原稿の主走査方向に沿った範囲の画像をアナログ画像信号として読み取るイメージ読取ステップと、アンテナを介して原稿に付加されたＩＣタグに記憶されたデータを読み取るデータ読取ステップと、読取ヘッドと、原稿とを副走査方向に相対的に移動手段により移動させる移動ステップとを有し、イメージ読取ステップと、データ読取ステップと、移動ステップとを複数回実行することを特徴とする。
【００１０】
かかる画像読取方法によると、原稿の画像を適切に読み取ることができ、さらに、原稿のいずれの位置にＩＣタグが付加されていてもＩＣタグに記憶された情報を適切に読み取ることができる。
【００１１】
また、本発明の一実施形態に係る原稿処理方法は、原稿に付加されたＩＣタグとの通信用の主走査方向に延びるアンテナを設けた読取ヘッドを有する画像読取装置により原稿に対して所定の処理を行う原稿処理方法であって、アンテナを介して、通信部により、原稿に付加されたＩＣタグに対して、所定のダミーデータを書き込ませるためのデータを送信する送信ステップと、読取ヘッドと、原稿とを副走査方向に相対的に移動手段により移動させる移動ステップと、を有し、送信ステップと移動ステップとを交互にまたは並行して実行することを特徴とする。
【００１２】
かかる原稿処理方法によると、原稿のいずれの位置に付加されたＩＣタグに対しても適切にダミーデータを書き込ませることができる。このため、原稿を廃棄する際において、ＩＣタグに格納されている情報の漏洩を適切に防止できる。
【発明を実施するための最良の形態】
【００１３】
本発明の実施形態について、図面を参照して説明する。なお、以下に説明する実施形態は特許請求の範囲にかかる発明を限定するものではなく、また実施形態の中で説明されている特徴の組み合わせの全てが発明の解決手段に必須であるとは限らない。
【００１４】
まず、本発明の一実施形態に係る画像読取装置の一例としてのスキャナ装置１について説明する前に、ＩＣタグ及びＩＣタグが付加された原稿について説明する。
図１は、ＩＣタグ及びＩＣタグが付加された原稿の一例を示す図である。図１（ａ）は、ＩＣタグ１０１を示し、図１（ｂ）は、ＩＣタグ１０１が付加された原稿Ｐを示している。
ＩＣタグ１０１は、図１（ａ）に示すように、無線波によりデータを送受信するためのアンテナ１０２と、ＩＣチップ１０３とを有する。ＩＣチップ１０３は、データを記憶する記憶部と、アンテナ１０２を介して外部へデータを送信する送信部と、アンテナ１０２を介して外部からデータを受信する受信部とを有する。
ＩＣタグ１０１は、原稿Ｐの任意の位置に付加されることがある。なお、図１（ｂ）は、原稿Ｐの画像範囲Ｇ外部の余白部分にＩＣタグ１０１が付加されている例を示している。ＩＣタグ１０１を原稿Ｐに付加する方法としては、例えば、原稿Ｐの用紙が作成される時点で用紙に埋め込むことにより付加する方法や、用紙に対してＩＣタグ１０１を貼着することにより付加する方法等がある。
【００１５】
次に、本発明の一実施形態に係るスキャナ装置１について説明する。
図２は、本発明の一実施形態に係るスキャナ装置の機能構成図である。
スキャナ装置１は、原稿の画像を画像信号として読み取るための読取部３が設けられた読取ヘッド２を有する。読取部３は、ランプ３ａと、光学系３ｂと、イメージセンサの一例としてのラインセンサ３ｃと、増幅器３ｄと、Ａ／Ｄ変換器３ｅとを有する。
【００１６】
ランプ３ａは、例えば、主走査方向に長い蛍光管ランプ等により構成され、原稿Ｐの主走査方向に沿った範囲に光を照射する。
光学系３ｂは、ミラー、レンズ等により構成され、原稿Ｐに照射された光の反射光をラインセンサ３ｃに導く。ラインセンサ３ｃは、例えば、ＣＣＤ（Charge Coupled Device）によって構成され、原稿の主走査方向に沿った範囲の画像をアナログ画像信号として読み取る。具体的には、ラインセンサ３ｃは、原稿Ｐの主走査方向の範囲からの反射光に応じたアナログ画像信号を増幅器３ｄに出力する。本実施形態では、原稿Ｐの主走査方向に読取可能な範囲（最大読取範囲）の長さは、例えば、Ａ４サイズの原稿の横幅（２１０ｍｍ）となっている。
増幅器３ｄは、ラインセンサ３ｃから出力されたアナログ画像信号を増幅し、Ａ／Ｄ変換器３ｅに出力する。Ａ／Ｄ変換器３ｅは、アナログ画像信号をデジタル画像信号（画像データ）に変換して、画像処理部７に出力する。
画像処理部７は、デジタル画像信号を入力して、ガンマ補正、色補正等の種々の画像処理を行う。
【００１７】
読取ヘッド２は、移動手段の一例としてのヘッド走査機構６により副走査方向に移動可能になっている。
また、読取ヘッド２には、アンテナ部４とリーダ・ライタ部５とが備えられている。
アンテナ部４は、アンテナ４ａと、絶縁部材４ｂとを有する。
アンテナ４ａは、導体の部材により構成されている。本実施形態では、アンテナ４ａの主走査方向に占める範囲は、アンテナ４ａによるＩＣタグ１０１と通信可能な範囲（通信可能範囲）が、ラインセンサ３ｃによる主走査方向における最大の読取範囲より広範囲となるように構成されている。
【００１８】
ここで、アンテナ４ａの主走査方向に占める範囲は、アンテナ４ａの材質、形状等と、通信対象となるＩＣタグ１０１の性質等とに基づいて、理論的に算出して設定することができる。なお、アンテナ４ａの主走査方向に占める範囲を、ラインセンサ３ｃの最大読取範囲以上の範囲とするようにしても、アンテナ４ａによるＩＣタグ１０１と通信可能な範囲が、ラインセンサ３ｃによる主走査方向における最大の読取範囲より広範囲となることを確実に確保できる。
【００１９】
ここで、このように主走査方向における通信可能範囲を最大読取範囲より広くしたことによる効果を説明する。スキャナ装置１においては、読取可能な原稿のサイズには限界がある。このようなスキャナ装置１によって、読取可能な原稿サイズよりも大きい原稿の読み取りを行う場合には、例えば、原稿の一部の領域をガラス板２２に載るようにして、このガラス板２２上の原稿の一部の画像が取り込まれることが行われる。
このような場合には、原稿の一部の領域以外にＩＣタグが付加されていること、すなわち、最大読取範囲外にＩＣタグが存在することが考えられる。このような状況において、上記したように通信可能範囲を最大読取範囲より広くしたことにより、最大読取範囲外のＩＣタグとの通信を可能にすることができる。
【００２０】
また、読取対象の原稿サイズは最大読取可能範囲に収まるものであったとしても、原稿を通常の位置とずらして載置し、原稿の一部の画像について読み取ることもあり、最大読取範囲外にＩＣタグが存在することが発生する。このような状況においても、上記同様に、最大読取範囲外のＩＣタグとの通信を可能にすることができる。
【００２１】
絶縁部材４ｂは、絶縁体によって構成され、アンテナ４ａによる無線波の送受信における指向性が読取対象の原稿側に向くように設置されている。本実施形態では、絶縁部材４ｂは、アンテナ４ａの下方側を覆うように設けられている。
アンテナ４ａは、通信手段の一例としてのリーダ・ライタ部５と接続されている。
リーダ・ライタ部５は、アンテナ４ａを介してＩＣタグ１０１との通信を行い、ＩＣタグ１０１へのデータの書込処理、ＩＣタグ１０１からのデータの読取処理を実行する。
リーダ・ライタ部５によりＩＣタグ１０１に書き込むデータや、ＩＣタグ１０１から読み取るデータは、リーダ・ライタインターフェース（リーダ・ライタＩＦ）９を介して後述するＣＰＵ１５とやりとりが行われる
読取部３、リーダ・ライタ部５、及びヘッド走査機構６は、制御部８の制御に従って動作を行う。
【００２２】
画像処理部７、制御部８及びリーダ・ライタＩＦ９は、バス１６に接続されている。
バス１６には、更に、外部インターフェース（外部ＩＦ）１０と、ＲＯＭ（Read Only Memory）１１と、ＲＡＭ（Random Access Memory）１２と、表示処理部１３と、入力インターフェース（入力ＩＦ）１４と、ＣＰＵ（Central Processing Unit）１５とが接続されている。
【００２３】
外部ＩＦ１０は、ＣＰＵ１５と、図示しない外部のホスト装置との間におけるデータのやりとりの仲介を行う。本実施形態では、外部ＩＦ１０は、ホスト装置からの画像読取処理の開始指示の仲介や、ホスト装置への原稿から読み取った画像データ、原稿に付加されたＩＣタグ１０１から読み取ったＩＣタグデータの仲介を行う。
ＲＯＭ１１は、スキャナ装置１に必要なブートプログラム等の基本プログラムを記憶する。
ＲＡＭ１２は、プログラムやデータを記憶する領域として、或いは、ＣＰＵ１５による処理に使用しているデータを格納する作業領域として利用される。本実施形態では、ＲＡＭ１２は、読取部３によって読み取られた画像データや、リーダ・ライタ部５によりＩＣタグ１０１から読み取られたデータ等を記憶する。
【００２４】
表示処理部１３は、表示装置１７に画像を表示させるための表示用データを生成し、表示装置１７に出力する。表示装置１７は、例えば、液晶表示パネル等の画像を表示する装置である。
入力ＩＦ１４は、無効化ボタン１８及び選択指示ボタン１９と接続可能であり、無効化ボタン１８又は選択指示ボタン１９からの信号をデータとしてＣＰＵ１５に渡す。
無効化ボタン１８は、ユーザから原稿を廃棄する際におけるＩＣタグの無効化処理の指示入力を受け付けるためのボタンであり、押下された場合に、所定の信号を発生する。
選択指示ボタン１９は、ユーザから各種選択指示の入力を受け付けるためのボタンであり、押下された場合に入力に応じた所定の信号を発生する。
【００２５】
ＣＰＵ１５は、ＲＯＭ１１の基本プログラム等をＲＡＭ１２に読み出して実行することにより各種処理を実行する。また、ＣＰＵ１５は、各部７〜１４の動作を制御する。
ＣＰＵ１５は、外部ＩＦ１０を介してホスト装置から原稿の読取指示を受け取った場合には、その指示に基づいて、画像処理部７、制御部８、リーダ・ライタ部５を制御して、原稿の読取処理を実行させる。この読取処理においては、ＣＰＵ１５は、画像処理部７から受け取った原稿の画像データと、リーダ・ライタ部５から受け取ったＩＣタグデータとを対応付けてＲＡＭ１２に一時的に記憶させ、所定のタイミングでＲＡＭ１２に格納された、画像データとＩＣタグデータとを、外部ＩＦ１０を介して読取指示を行ったホスト装置に送信する。
【００２６】
また、ＣＰＵ１５は、入力ＩＦ１４から無効化ボタン１８が押下されたことを示すデータを受け取った場合には、制御部８及びリーダ・ライタ部５を制御して原稿に付加されたＩＣタグの無効化処理を実行させる。このＩＣタグ無効化処理において、ＣＰＵ１５は、ＩＣタグ１０１に書き込ませるダミーデータをリーダ・ライタ部５にリーダ・ライタＩＦ９を介して送信する。なお、このＣＰＵ１５が送信制御手段に相当する。ここで、ダミーデータは、すべて”０”のデータや、すべて”１”のデータでもよく、”０”、”１”をランダムに含むデータであってもよく、要は、読み取られても構わないデータであればよい。
【００２７】
図３は、本発明の一実施形態に係るスキャナ装置の外観の構成を主に説明する図である。図３（ａ）は、スキャナ装置１の一部の透視図及び外観を示す斜視図であり、図３（ｂ）は、スキャナ装置１の上面図である。
スキャナ装置１の筐体２０の上面部２１には、画像の読取対象となる原稿を載置するための原稿台としてのガラス板２２が設けられている。
また、上面部２１には、ガラス板２２に載置された原稿を押えるための蓋２３が接続されている。
蓋２３において、ガラス板２２を覆う際に当該ガラス板２２と対向する範囲に、例えば、導体からなる板状部材を設けるようにしてもよい。このようにすると、アンテナ４ａから発せられる無線波が、蓋２３を透過して読取対象の原稿以外のＩＣタグに到達されることを適切に防止できる。
【００２８】
筐体２０内部には、読取ヘッド２が備えられている。読取ヘッド２の内部には、読取部３が収容されており、読取部３のランプ３ａによる原稿に照射される光が読取ヘッド２の上面に形成されている開口２ａを通過して射出し、原稿から反射された光が開口２ａを通過して読取部３のラインセンサ３ｃに到達するようになっている。
更に、読取ヘッド２の上面には、アンテナ部４とリーダ・ライタ部５とが設けられている。
【００２９】
更に、筐体２０内部には、読取ヘッド２を副走査方向に移動可能にするヘッド走査機構６が設けられている。ヘッド走査機構６において、読取ヘッド２は、摺動軸６４によって副走査方向に摺動可能に保持されている。
また、ヘッド走査機構６において、無端の駆動ベルト６２がプーリ６１と図示しないプーリとによって副走査方向に沿って張設されている。プーリ６１には、プーリ６１を回転させるモータ６３が接続されている。さらに、タイミングベルト６２の一端は、読取ヘッド２に固定されている。したがって、モータ６３を動作させると、駆動ベルト６２が送られ、それに伴って読取ヘッド２が摺動軸６４上を副走査方向に摺動される。なお、モータ６３の動作は、制御部８によって制御される。
また、上面部２１には、図３（ｂ）に示すように無効化スイッチ１８、表示装置１７、選択指示ボタン１９が設けられている。
【００３０】
図４は、本発明の一実施形態に係るアンテナ部の複数例を説明する図である。
アンテナ部４の第１の例を図４（ａ）を参照して説明する。
図４（ａ−１）に示すように、アンテナ部４は、アンテナ４ａを２本の導体線で構成されており、それぞれが主走査方向に沿ってほぼ一直線状に並べられ、それぞれの一端側がリーダ・ライタ部５へ接続されている。アンテナ４ａの主走査方向に占める範囲は、図中破線で示す読取部３による主走査方向の最大読取範囲とほぼ同じ範囲となっている。このアンテナ４ａによるＩＣタグ１０１との通信可能範囲は、図中一点鎖線で示すようになっており、最大読取範囲より広い範囲となっている。
また、図４（ａ−２）に示すように、アンテナ部４において、アンテナ４ａの下方側には、アンテナ４ａの下方側を囲むようにＶ字状の絶縁部材４ｂが設けられている。この構成により、アンテナ４ａは、鉛直方向、すなわち、原稿の方向に指向性を有する。
【００３１】
次に、アンテナ部４の第２の例を図４（ｂ）を参照して説明する。
図４（ｂ−１）に示すように、アンテナ部４は、アンテナ４ａを２本の導体線で構成されており、それぞれの導体線は、螺旋状に巻回されている。それらは主走査方向に沿ってほぼ一直線状に並べられ、それぞれの一端側がリーダ・ライタ部５へ接続されている。なお、アンテナ４ａの主走査方向に占める範囲は、図４（ａ）のアンテナと同様に、読取部３による主走査方向の最大読取範囲とほぼ同じ範囲となっており、このアンテナ４ａによるＩＣタグ１０１との通信可能範囲は、最大読取範囲より広い範囲となっている。
また、図４（ｂ−２）に示すように、アンテナ４ａの下方側には、アンテナ４ａの下方側を囲むように絶縁部材４ｂが設けられている。この構成により、アンテナ４ａは、鉛直方向、すなわち、原稿の方向に指向性を有する。
【００３２】
次に、アンテナ部４の第３の例を図４（ｃ）を参照して説明する。
図４（ｃ−１）に示すように、アンテナ部４は、アンテナ４ａを１本の導体線が矩形のループ状に形成され、それが主走査方向に沿って折り曲げられた構成となっている。この導体線の両端部は、リーダ・ライタ部５へ接続されている。なお、アンテナ４ａの主走査方向に占める範囲は、図４（ａ）のアンテナと同様に、読取部３による主走査方向の最大読取範囲とほぼ同じ範囲となっており、このアンテナ４ａによるＩＣタグ１０１との通信可能範囲は、最大読取範囲より広い範囲となっている。
また、図４（ｃ−２）に示すように、アンテナ４ａの下方側には、アンテナ４ａのすべての導体線の下方側を囲むように絶縁部材４ｂが設けられている。この構成により、アンテナ４ａは、鉛直方向、すなわち、原稿の方向に指向性を有する。
【００３３】
次に、アンテナ部４の第４の例を図４（ｄ）を参照して説明する。
この第４の例は、ＩＣタグ１０１が、電磁誘導によってアンテナから電力を得て動作する、いわゆる電磁誘導方式のＩＣタグである場合に適しているアンテナの一例である。
図４（ｄ）に示すように、アンテナ部４は、アンテナ４ａを１本の導体線がコイル状に巻回されて形成されている。この導体線の両端部は、リーダ・ライタ部５へ接続されている。このアンテナ４ａの主走査方向に占める範囲は、図４（ａ）のアンテナと同様に、読取部３による主走査方向の最大読取範囲とほぼ同じ範囲となっており、このアンテナ４ａによるＩＣタグ１０１との通信可能範囲は、最大読取範囲より広い範囲となっている。
【００３４】
図５は、本発明の一実施形態に係るスキャナ装置の画像読取処理を説明するフローチャートである。
この画像読取処理は、外部ＩＦ１０を介してホスト装置から、ＣＰＵ１５が原稿の読取指示を受け取った場合に開始される。
まず、ＣＰＵ１５が読取指示を受け取ると、画像処理部７、制御部８、及びリーダ・ライタ部５を制御して、読取部３、リーダ・ライタ部５、及びヘッド走査機構６を動作可能にするための初期準備処理を実行させる（ステップＳ１０）。この初期準備処理においては、例えば、制御部８による制御により、ヘッド走査機構６を動作させて、副走査方向の位置が初期位置となるように読取ヘッド２を移動させる。
【００３５】
そして、ＣＰＵ１５の制御により動作する制御部８の制御により、読取部３のランプ３ａから原稿に光を照射すると共に、原稿からの反射光をラインセンサ３ｃで受けて原稿の画像をアナログ画像信号として取り込む（ステップＳ１１）。この取り込んだアナログ画像信号は、増幅器３ｄ、Ａ／Ｄ変換器３ｅ、画像処理部７を介して所定の処理が行われた後、デジタル画像データとしてＲＡＭ１２に格納される。
【００３６】
次いで、制御部８が読取ヘッド２の位置が初期位置であるか、或いは、前回のＩＣタグ読取位置から副走査方向へ所定の距離移動したかを判定する（ステップＳ１２）。
この結果、初期位置である場合、又は、前回のＩＣタグ読取位置から副走査方向へ所定の距離移動した場合（ステップＳ１２のＹＥＳ）には、制御部８は、リーダ・ライタ部５により、アンテナ部４を介してＩＣタグ１０１からデータ（ＩＣタグデータ）を読み取る処理を実行させる（ステップＳ１３）。ここで、アンテナ部４のアンテナ４ａによる、通信可能範囲は、最大読取範囲より広い範囲なので、最大読取範囲外にＩＣタグ１０１が存在しても、ＩＣタグ１０１からデータを適切に読み取ることができる。このリーダ・ライタ部５により読み取られたＩＣタグ１０１のデータは、リーダ・ライタＩＦ部９、バス１６を介して、ＣＰＵ１５に渡され、ＲＡＭ１２に格納される。この際、当該ＩＣタグ１０１のデータは、同一の原稿の画像データと対応付けてＲＡＭ１２に格納される。なお、ＲＡＭ１２に格納された画像データとＩＣタグデータとは、所定のタイミングでＣＰＵ１５により取り出されて、外部ＩＦ１０を介して読取指示を行ったホスト装置に送信される。
【００３７】
一方、読取ヘッド２の位置が初期位置でなく、且つ、前回のＩＣタグ読取位置から副走査方向へ所定の距離移動していない場合（ステップＳ１２のＮＯ）には、何もせずに次の処理（ステップＳ１４）にすすむ。ここで、このように、副走査方向へ所定の距離の移動をしていない場合に、ＩＣタグ読取を行わないのは、同一のＩＣタグ１０１との通信が頻繁に発生することを防止するためである。
そして、制御部８は、スキャンエンドであるか否か、すなわち、原稿を読み取るべき範囲の副走査方向の終了位置であるか否かを検出する（ステップＳ１４）。この結果、スキャンエンドでない場合には、制御部８は、原稿の次の領域（ここでは、次のライン）を読み込むために読取ヘッド２をヘッド走査機構６により副走査方向へ移動させ（ステップＳ１５）、上記した処理（ステップＳ１１〜Ｓ１４）を繰り返して実行させる。
そして、スキャンエンドである場合には、次に読み込む必要がないので処理を終了する。このようにして、読取対象の原稿における画像を画像データとして読み取ることができるとともに、原稿に付加されたＩＣタグ１０１のデータも適切に読み取ることができる。
【００３８】
図６は、本発明の一実施形態に係るスキャナ装置のＩＣタグ無効化処理を説明するフローチャートである。
このＩＣタグ無効化処理は、ＩＣタグ１０１が付加された原稿を処理する原稿処理の一例であって、入力ＩＦ１４から無効化ボタン１８が押下されたことを示すデータをＣＰＵ１５が受け取った場合に開始される。
ＩＣタグ無効化処理において、ＣＰＵ１５が、制御部８、及びリーダ・ライタ部５を制御して以下の動作を実行させる。
【００３９】
まず、制御部８がヘッド走査機構６により読取ヘッド２を副走査方向へ移動させる（ステップＳ２１）。なお、処理開始時点には、読取ヘッド２が初期位置（ホームポジション）にあるものとする。次いで、ＣＰＵ１５は、リーダ・ライタＩＦ９を介してリーダ・ライタ部５に、ＩＣタグ１０１に書き込ませるダミーデータを送信し、制御部８は、リーダ・ライタ部５に当該ダミーデータを送信させることにより、ＩＣタグ１０１に書き込ませる処理を実行させる（ステップＳ２２）。
次いで、制御部８は、スキャンエンドであるか否か、すなわち、無効化する原稿に対して走査すべき副走査方向の終了位置であるか否かを検出する（ステップＳ２３）。この結果、スキャンエンドでない場合には、制御部８は、上記した処理（ステップＳ２１、Ｓ２２）を繰り返し実行させる。
【００４０】
そして、スキャンエンドとなった場合（ステップＳ２３のＹＥＳ）には、制御部８は、制御部８がヘッド走査機構６により読取ヘッド３を初期位置（ホームポジション）に移動させる（ステップＳ２４）。
次いで、制御部８がヘッド走査機構６により読取ヘッド３を副走査方向へ移動させる（ステップＳ２５）。制御部８は、リーダ・ライタ部５にＩＣタグ１０１に格納されているデータ（ＩＣタグデータ）を読み取らせる処理を実行させる（ステップＳ２６）。このリーダ・ライタ部５により読み取られたＩＣタグ１０１のデータは、リーダ・ライタＩＦ部９、バス１６を介して、ＣＰＵ１５に渡される。
【００４１】
次いで、ＣＰＵ１５は、リーダ・ライタ部５から受け取ったＩＣタグ１０１のデータがダミーデータか否かを判定し（ステップＳ２７）、この結果、ダミーデータである場合には、ＩＣタグ１０１の無効化ができたことを意味するので、制御部８は、スキャンエンドであるか否か、すなわち、無効化する原稿に対して走査すべき副走査方向の終了位置であるか否かを検出する（ステップＳ２８）。
【００４２】
この結果、スキャンエンドでない場合には、上記した処理（ステップＳ２５〜Ｓ２７）を繰り返し実行する。一方、スキャンエンドの場合には、原稿のすべてのＩＣタグ１０１についての無効化をすることができたことを意味するので処理を終了する。
なお、リーダ・ライタ部５から受け取ったＩＣタグ１０１のデータがダミーデータでないと判定した場合（ステップＳ２７のＮＯ）には、ＩＣタグ１０１へのダミーデータの書込みができなかったことを意味しているので、ＣＰＵ１５は、表示処理部１３により表示装置１７にその旨のエラー表示をさせて（ステップＳ２９）、処理を終了させる。
このような処理により、正常に処理を終了した原稿に付加されたＩＣタグには、ダミーデータしか含まれていないので、たとえ、その情報が読み取られても支障がない。従って、原稿を廃棄する際において、ＩＣタグに格納されている情報の漏洩を適切に防止できる。
【００４３】
以上、本発明を実施形態に基づいて説明したが、本発明は上述した実施の形態に限られず、他の様々な態様に適用可能である。
例えば、上記実施形態では、読取ヘッド２を移動させて画像を読み取るフラットベッド型のスキャナ装置を例に挙げて説明したが、本願発明はこれに限られず、例えば、原稿を移動させて、原稿と読み取りヘッドとの相対位置を移動させるシートフィーダ型の画像読取装置であってもよく、読取ヘッドを利用者が副走査方向へ移動させる画像読取装置であってもよい。
【００４４】
また、上記実施形態では、イメージセンサとして、ラインセンサ３ｃを用いていたが、本発明はこれに限られず、２次元のイメージセンサを用いるようにしてもよい。
また、上記したＩＣタグ無効化処理においては、読取ヘッド２の移動（ステップＳ２１）とＩＣタグ１０１からのダミーデータの書込み（ステップＳ２２）とを交互に行うようにしていたが、これらを並行して行うようにしてもよい。
【図面の簡単な説明】
【００４５】
【図１】ＩＣタグ及びＩＣタグが付加された原稿の一例について説明する図である。
【図２】本発明の一実施形態に係るスキャナ装置の機能構成を説明する図である。
【図３】本発明の一実施形態に係るスキャナ装置の外観の構成を主に説明する図である。
【図４】本発明の一実施形態に係るアンテナ部の複数例を説明する図である。
【図５】本発明の一実施形態に係るスキャナ装置の画像読取処理を説明するフローチャートである。
【図６】本発明の一実施形態に係るスキャナ装置のＩＣタグ無効化処理を説明するフローチャートである。
【符号の説明】
【００４６】
１  スキャナ装置、２  読取ヘッド、３  読取部、３ａ  ランプ、３ｂ  光学系、３ｃ  ラインセンサ、３ｄ  増幅器、３ｅ  Ａ／Ｄ変換器、４  アンテナ部、４ａ  アンテナ、４ｂ  絶縁部材、５  リーダ・ライタ部、６  ヘッド走査機構、７  画像処理部、８  制御部、９  リーダ・ライタＩＦ、１０  外部ＩＦ、１１  ＲＯＭ、１２  ＲＡＭ、１３  表示処理部、１４  入力ＩＦ、１５  ＣＰＵ、１６  バス、１７  表示装置、１８  無効化ボタン、１９  選択指示ボタン。
【図１】
2007110463.tif 000003
【図２】
2007110463.tif 000004
【図３】
2007110463.tif 000005
【図４】
2007110463.tif 000006
【図５】
2007110463.tif 000007
【図６】
2007110463.tif 000008